(57)【要約】【課題】屋根架構を正確に構築することが可能となる、屋根架構の構築方法を提供すること。【解決手段】屋根架構の構築方法は、建物の屋根架構を構築するための構築方法であって、屋根架構を構成する梁材３０を複数組み合わせた梁材セットＳであり、且つ所定量以上の剛性を有する梁材セットＳを形成する形成工程と、形成工程の後に、梁材セットＳの端部のみを支持した状態で当該梁材セットＳを所定位置までトラベリングして設置するトラベリング工程と、を含む。【選択図】図４
2020084530.tif 000002
【特許請求の範囲】
【請求項１】
建物の屋根架構を構築するための構築方法であって、
前記屋根架構を構成する梁材を複数組み合わせたセットであり、且つ所定量以上の剛性を有するセットを形成する形成工程と、
前記形成工程の後に、前記セットの端部のみを支持した状態で当該セットを所定位置までトラベリングして設置するトラベリング工程と、
を含む屋根架構の構築方法。
【請求項２】
前記梁材は、
一対の上弦材及び一対の下弦材を有するトラス梁であって、
前記一対の上弦材の相互間又は前記一対の下弦材の相互間において水平に設けられたブレース材であって、前記一対の上弦材同士又は前記一対の下弦材同士を接続するブレース材を備える、
請求項１に記載の屋根架構の構築方法。
【請求項３】
複数の前記セットに対して前記トラベリング工程をそれぞれ行う場合に、２回目以降の前記トラベリング工程に対応する前記セットの前記梁材の数を、１回目の前記トラベリング工程に対応する前記セットの前記梁材の数と同一又はそれよりも少なくする、
請求項１又は２に記載の屋根架構の構築方法。
【発明の詳細な説明】
【技術分野】
【０００１】
本発明は、屋根架構の構築方法に関する。
【背景技術】
【０００２】
従来から、体育館等の建物の屋根架構を構築する技術の一つとして、屋根架構を構成する複数のトラスユニットをそれぞれ単体で設置位置までトラベリング（横引き）して設置する技術が提案されている（特許文献１参照）。
【先行技術文献】
【特許文献】
【０００３】
【特許文献１】特開２００３−２２１８７５号公報
【発明の概要】
【発明が解決しようとする課題】
【０００４】
しかしながら、上述した従来の技術においては、上述したように、複数のトラスユニットをそれぞれ単体で設置位置まで水平方向にトラベリングして設置していたので、例えば、各トラスユニットの水平剛性が比較的低い場合には、トラスユニットのトラベリング時にトラスユニットにねじれが発生することで、トラスユニットの水平変位が過大になるおそれがあることから、屋根架構を正確に構築する観点からは改善の余地があった。
【０００５】
本発明は、上記に鑑みてなされたものであって、屋根架構を正確に構築することが可能となる、屋根架構の構築方法を提供することを目的とする。
【課題を解決するための手段】
【０００６】
上述した課題を解決し、目的を達成するために、請求項１に記載の屋根架構の構築方法は、建物の屋根架構を構築するための構築方法であって、前記屋根架構を構成する梁材を複数組み合わせたセットであり、且つ所定量以上の剛性を有するセットを形成する形成工程と、前記形成工程の後に、前記セットの端部のみを支持した状態で当該セットを所定位置までトラベリングして設置するトラベリング工程と、を含む。
【０００７】
請求項２に記載の屋根架構の構築方法は、請求項１に記載の屋根架構の構築方法において、前記梁材は、一対の上弦材及び一対の下弦材を有するトラス梁であって、前記一対の上弦材の相互間又は前記一対の下弦材の相互間において水平に設けられたブレース材であって、前記一対の上弦材同士又は前記一対の下弦材同士を接続するブレース材を備える。
【０００８】
請求項３に記載の屋根架構の構築方法は、請求項１又は２に記載の屋根架構の構築方法において、複数の前記セットに対して前記トラベリング工程をそれぞれ行う場合に、２回目以降の前記トラベリング工程に対応する前記セットの前記梁材の数を、１回目の前記トラベリング工程に対応する前記セットの前記梁材の数と同一又はそれよりも少なくする。
【発明の効果】
【０００９】
請求項１に記載の屋根架構の構築方法によれば、屋根架構を構成する梁材を複数組み合わせたセットであり、且つ所定量以上の剛性を有するセットを形成する形成工程と、形成工程の後に、セットの端部のみを支持した状態で当該セットを所定位置までトラベリングして設置するトラベリング工程と、を含むので、単体の梁材をトラベリングして設置する場合に比べて、トラベリング工程時（具体的には、セットのトラベリング時又は設置時）に生じるセットの各梁材の水平変位を抑制でき、屋根架構を正確に構築することが可能となる。
【００１０】
請求項２に記載の屋根架構の構築方法によれば、梁材が、一対の上弦材の相互間又は一対の下弦材の相互間において水平に設けられたブレース材であって、一対の上弦材同士又は一対の下弦材同士を接続するブレース材を備えるので、ブレース材を設けない場合に比べて梁材の水平変位を抑制でき、梁材を正確に設置することが可能となる。
【００１１】
請求項３に記載の屋根架構の構築方法によれば、複数のセットに対してトラベリング工程をそれぞれ行う場合に、２回目以降のトラベリング工程に対応するセットの梁材の数を、１回目のトラベリング工程に対応するセットの梁材の数と同一又はそれよりも少なくするので、２回目以降のトラベリング工程では、トラベリング工程時に生じるセットの各梁材の水平変位を抑制しながら、トラベリング工程を迅速に行うことができ、屋根架構を正確且つ迅速に構築することが可能となる。
【図面の簡単な説明】
【００１２】
【図１】本発明の実施の形態に係る建物を概念的に示す図であり、（ａ）は正面図、（ｂ）は側面図である。
【図２】梁材を示す斜視図である。
【図３】屋根架構の構築方法の形成工程を示す斜視図である（一部図示省略）。
【図４】屋根架構の構築方法のトラベリング工程を示す側面図であって、１回目のトラベリング工程を示す図である。
【図５】屋根架構の構築方法のトラベリング工程を示す側面図であって、２回目のトラベリング工程を示す図である。
【図６】屋根架構の構築方法のトラベリング工程を示す側面図であって、最終回目のトラベリング工程を示す図である。
【発明を実施するための形態】
【００１３】
以下に添付図面を参照して、この発明に係る屋根架構の構築方法の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１４】
〔Ｉ〕実施の形態の基本的概念
まず、実施の形態の基本的概念について説明する。実施の形態は、概略的に、建物の屋根架構を構築するための構築方法に関する。ここで、「建物」の具体的な構造や種類は任意であり、例えば、公共施設（例えば、体育館等）、商業施設（例えば、ショッピングモール等）、工場施設等を含む概念であるが、実施の形態では、体育館として説明する。
【００１５】
〔ＩＩ〕実施の形態の具体的内容
次に、実施の形態の具体的内容について説明する。
【００１６】
（構成）
最初に、実施の形態に係る屋根架構の構築方法適用される建物の構成について説明する。図１は、本発明の実施の形態に係る建物を概念的に示す図であり、（ａ）は正面図、（ｂ）は側面図である。以下の説明では、図１のＸ方向を建物の左右方向（−Ｘ方向を建物の左方向、＋Ｘ方向を建物の右方向）、図１のＹ方向を建物の前後方向（＋Ｙ方向を建物の前方向、−Ｙ方向を建物の後方向）、図１のＺ方向を建物の上下方向（＋Ｚ方向を建物の上方向、−Ｚ方向を建物の下方向）と称する。建物１は、図１に示すように、設置面Ｃ上に設けられており、屋根部１０、支持部５０、免震装置（図示省略）、及び利用空間部（図示省略）を備えている。
【００１７】
（構成−屋根部）
屋根部１０は、建物１の基本構造体の一部であって、利用空間部の上部を覆うための部分であり、図１に示すように、屋根架構２０及び屋根パネル４０を備えている。
【００１８】
（構成−屋根部−屋根架構）
屋根架構２０は、屋根部１０の基本構造体である。この屋根架構２０は、例えば鋼製の長尺な梁材３０を複数組み合わせて構成されている。具体的には、図１に示すように、梁材３０の長手方向が左右方向に略沿うように複数の梁材３０の各々を配置すると共に、複数の梁材３０を前後方向に略沿うように並設することにより構成されている。
【００１９】
ここで、複数の梁材３０の具体的な構成については任意であるが、実施の形態では、トラス梁でそれぞれ構成されている。図２は、梁材３０を示す斜視図である。具体的には、図２に示すように、複数の梁材３０の各々の左右方向の長さについては、利用空間部の左右方向の長さよりも若干長く設定しており、複数の梁材３０の各々の前後方向の長さについては、利用空間部の前後方向の長さよりも短く設定しており、複数の梁材３０の各々の上下方向の長さについては、利用空間部の上下方向の長さよりも短く設定している。また、複数の梁材３０の各々は、前側トラス部３１、後側トラス部３２、上側トラス部３３、下側トラス部３４、左側トラス部３５、及び右側トラス部３６をそれぞれ備えている。
【００２０】
このうち、前側トラス部３１は、梁材３０の前側に位置する部分であり、複数の弦材を組み合わせて構成されている。具体的には、図２に示すように、前側上弦材３１ａと、前側上弦材３１ａよりも下側に位置する前側下弦材３１ｂと、前側上弦材３１ａと前側下弦材３１ｂとの相互間において間隔を隔てて左右方向に複数並設される前側束材３１ｃと、前側束材３１ｃ同士の相互間に設けられた前側斜材３１ｄとを備えて構成されている。また、後側トラス部３２は、梁材３０の後側に位置する部分であり、前側トラス部３１の構成と略同一に構成されており、具体的には、図２に示すように、後側上弦材３２ａ、後側下弦材３２ｂ、後側束材３２ｃ、及び後側斜材３２ｄを備えて構成されている。また、上側トラス部３３は、梁材３０の上側に位置する部分であり、複数の弦材を組み合わせて構成されており、具体的には、図２に示すように、前側上弦材３１ａと後側上弦材３２ａとの相互間において水平に設けられ、且つ間隔を隔てて左右方向に複数並設された上側接続弦材３３ａを備えて構成されている。また、下側トラス部３４は、梁材３０の下側に位置する部分であり、複数の弦材を組み合わせて構成されており、具体的には、図２に示すように、前側下弦材３１ｂと後側下弦材３２ｂとの相互間において水平に設けられ、且つ間隔を隔てて左右方向に複数並設された下側接続弦材３４ａを備えて構成されている。また、左側トラス部３５は、梁材３０の左側に位置する部分であり、複数の弦材を組み合わせて構成されており、具体的には、図２に示すように、前側トラス部３１と後側トラス部３２との相互間に設けられた一対の左側斜材３５ａであって、下側接続弦材３４ａにおいて相互に交差する一対の左側斜材３５ａを備えて構成されている。また、右側トラス部３６は、梁材３０の右側に位置する部分であり、左側トラス部３５の構成と略同一に構成されており、具体的には、図２に示すように、一対の右側斜材３６ａを備えて構成されている。なお、実施の形態では、複数の梁材３０の各々における各種束材の配置方法（いわゆる割り付け方法）については、複数の梁材３０の各々における各種束材をすべて同一の位置に配置しているので、屋根架構２０のねじれの発生を抑制できる。なお、上述した「上側接続弦材３３ａ」及び「下側接続弦材３４ａ」は、特許請求の範囲における「ブレース材」に対応する。
【００２１】
（構成−屋根部−屋根パネル）
図１に戻り、屋根パネル４０は、屋根架構２０の上面を覆うためのものである。この屋根パネル４０は、例えば公知の屋根パネル（一例として、ＡＬＣパネル等）を用いて構成されており、図１に示すように、屋根架構２０の上面全体を覆うように複数設けられ、屋根架構２０に対して固定具等によって固定されている。
【００２２】
（構成−支持部）
支持部５０は、建物１の基本構造体の一部であって、屋根部１０を支持する部分である。この支持部５０は、図１に示すように、屋根部１０よりも下方において利用空間部の周囲を覆うように配置されており、前側柱部５１、後側柱部（図示省略）、左側柱部（図示省略）、右側柱部５４、補助梁部５５、左側レール部（図示省略）、及び右側レール部５７を備えている。
【００２３】
前側柱部５１は、支持部５０の前側に位置する柱部である。この前側柱部５１は、例えば公知のコンクリート製の柱材を用いて構成されており、具体的には、図１（ａ）に示すように、前側柱部５１の左右方向の長さが利用空間部の左右方向の長さよりも短く設定され、前側柱部５１の前後方向の長さが利用空間部の前後方向の長さよりも短く設定され、前側柱部５１の上下方向の長さが利用空間部の上下方向の長さと略同一に設定されている（なお、他の柱部についても同様とする）。また、図１（ａ）に示すように、前側柱部５１は、設置面Ｃに対して立設されていると共に、間隔を隔てて左右方向に複数並設されている。後側柱部は、支持部５０の後側に位置する柱部であり、設置面Ｃに対して立設されていると共に、間隔を隔てて左右方向に複数並設されている。左側柱部は、支持部５０の左側に位置する柱部であり、設置面Ｃに対して立設されていると共に、間隔を隔てて前後方向に複数並設されている。右側柱部５４は、支持部５０の右側に位置する柱部であり、図１（ｂ）に示すように、設置面Ｃに対して立設されていると共に、間隔を隔てて前後方向に複数並設されている。補助梁部５５は、前側柱部５１、後側柱部、左側柱部、及び右側柱部５４の各々を補強するための梁部であり、例えば公知のコンクリート製の梁材を用いて構成されており、図１に示すように、前側柱部５１同士、後側柱部同士、左側柱部同士、及び右側柱部５４同士をそれぞれ接続するように複数設けられている。
【００２４】
左側レール部及び右側レール部５７は、屋根架構２０を構築する際に梁材３０を前後方向に沿って移動するように案内するものである。これら左側レール部及び右側レール部５７は、例えば公知の長尺なレール材（一例として鋼製のレール材）等を用いて構成されており、支持部５０の上側部分に設けられている。具体的には、左側レール部は、並設されているすべての左側柱部の上側部分にわたって設けられており、これら左側柱部に対して直接的又は間接的に接続されている。また、図１（ｂ）に示すように、右側レール部５７は、並設されているすべての右側柱部５４の上側部分にわたって設けられており、これら右側柱部５４に対して直接的又は間接的に接続されている。
【００２５】
（構成−免震装置）
免震装置は、屋根部１０を免震化するための装置である。この免震装置は、例えば公知の免震装置（一例として、積層ゴム支承、滑り支承等）を用いて構成されており、屋根架構２０と支持部５０との相互間に設けられている。具体的には、屋根架構２０の各梁材３０の左端部と左側柱部（具体的には、左側柱部に接続された左側レール部）の上端部又はその近傍との相互間にそれぞれ配置され、当該各梁材３０及び左側レール部に対して固定具等によってそれぞれ接続されている。また、屋根架構２０の各梁材３０の右端部と右側柱部（具体的には、右側レール部５７）の上端部又はその近傍の相互間にそれぞれ配置され、当該各梁材３０及び右側レール部５７に対して固定具等によってそれぞれ接続されている。また、屋根架構２０の梁材３０のうち最前方側の梁材３０の下端部と少なくともいずれか１つ以上の前側柱部５１との相互間にそれぞれ配置され、当該梁材３０及び当該前側柱部５１に対して固定具等によってそれぞれ接続されている。また、屋根架構２０の梁材３０のうち最後方側の梁材３０の下端部と少なくともいずれか１つ以上の後側柱部との相互間にそれぞれ配置され、当該梁材３０及び当該後側柱部に対して固定具等によってそれぞれ接続されている。
【００２６】
（構成−利用空間部）
利用空間部は、所定の目的（例えば、スポーツイベント等）に応じた利用が行われる空間部であり、例えば直方体状に形成されており、具体的には、所定の人数を収容可能であり、且つ所望の設備（例えば観客席や競技設備等）を収容可能な大きさに設定された空間部として形成されている。
【００２７】
（屋根架構の構築方法）
続いて、実施の形態に係る屋根架構２０の構築方法について説明する。図３は、屋根架構２０の構築方法の形成工程を示す斜視図である（一部図示省略）。図４は、屋根架構の構築方法のトラベリング工程を示す側面図であって、１回目のトラベリング工程を示す図である。図５は、屋根架構の構築方法のトラベリング工程を示す側面図であって、２回目のトラベリング工程を示す図である。図６は、屋根架構の構築方法のトラベリング工程を示す側面図であって、最終回目のトラベリング工程を示す図である。図３から図６に示すように、実施の形態に係る屋根架構２０の構築方法は、準備工程、形成工程、トラベリング工程、及び撤去工程を含んでいる。なお、屋根架構２０の構築方法の前提としては、支持部５０が設置面Ｃ上に設置されているものとして説明する。
【００２８】
（屋根架構の構築方法−準備工程）
まず、準備工程について説明する。準備工程は、屋根架構２０を構築するための準備を行う工程である。
【００２９】
具体的には、図４に示すように、支持部５０よりも後方位置において、クレーン７０等を用いてトラベリング工程で使用されるトラベリング構台６１（例えば、鉄骨を組み合わせて構成されたトラベリング構台６１）を組み立てる。また、トラベリング構台６１の近傍位置において、クレーン７０等を用いて形成工程で使用される図示しない地組構台（例えば、鉄骨を組み合わせて構成された地組構台）を組み立てる。また、支持部５０、トラベリング構台６１、又は地組構台に作業用足場（図示省略）を取り付ける。
【００３０】
（屋根架構の構築方法−形成工程、トラベリング工程）
次に、形成工程及びトラベリング工程について説明する。形成工程は、準備工程の後に、梁材セットＳを形成する工程である。トラベリング工程は、形成工程の後に、梁材セットＳの端部のみを支持した状態で当該梁材セットＳを所定位置（具体的には、設置位置）までトラベリング（横引き）して設置する工程である。ここで、「梁材セットＳ」とは、屋根架構２０を構成する梁材３０を複数組み合わせたセットであり、且つ所定量以上の剛性を有するセットを意味し、実施の形態では、少なくとも２つ以上の梁材３０を組み合わせたセットとして説明する。ただし、これに限らず、例えば、梁材３０の形状や大きさに応じた本数の梁材３０を組み合わせたセットであってもよい。また、上記所定量以上の剛性については、例えば、公知の解析方法（例えば、有限要素法等）の解析結果又は実験結果等に基づいて設定してもよい。なお、実施の形態では、複数の梁材セットＳを形成してトラベリングすることから、形成工程及びトラベリング工程をそれぞれ複数回実施し、且つ並行して実施するものとする。
【００３１】
具体的には、図３、図４に示すように、１回目の形成工程及びトラベリング工程においては、まず、クレーン７０等を用いて梁材セットＳを地組構台上で形成した後、クレーン７０等を用いて梁材セットＳをトラベリング構台６１まで搬送する。ここで、梁材セットＳの形成方法については任意であるが、例えば、複数の梁材３０を溶接又は固定具等によって接続することにより、形成してもよい。この場合において、隣接する梁材３０の前側トラス部３１又は後側トラス部３２を共通化して形成してもよく、一例として、隣接する梁材３０のいずれか一方の後側トラス部３２と隣接する梁材３０のいずれか他方の前側トラス部３１とを１つのトラス部で形成してもよい。次に、公知のトラベリング工法（例えば、ジャッキ又はワイヤを利用したトラベリング工法等）を用いて、梁材セットＳの左端部を左側レール部に支持し、且つ梁材セットＳの右端部を右側レール部５７に支持した状態において、当該梁材セットＳを設置位置までトラベリングした後（図４では、梁材セットＳを前方に向けてトラベリングした後）、梁材セットＳの各梁材３０と対応する左側柱部及び対応する右側柱部５４の各々と免震装置を介して接続することにより、設置する。特に、実施の形態では、上述したように、梁材セットＳの各梁材３０に上側接続弦材３３ａ及び下側接続弦材３４ａが設けられているので、これら上側接続弦材３３ａ及び下側接続弦材３４ａを設けない場合に比べて各梁材３０の水平変位を抑制でき、各梁材３０を正確に設置することが可能となる（なお、後述する２回目以降の形成工程及びトラベリング工程についても同様とする）。
【００３２】
次いで、図５に示すように、２回目以降の形成工程及びトラベリング工程においては、１回目の形成工程及びトラベリング工程と同様に、梁材セットＳを形成し、梁材セットＳをトラベリング構台６１まで搬送した後、梁材セットＳを設置位置までトラベリングして、梁材セットＳの各梁材３０と対応する左側柱部及び対応する右側柱部５４の各々と免震装置を介して接続することにより、設置する。
【００３３】
続いて、図６に示すように、屋根架構２０を構成する梁材３０をすべて設置位置までトラベリングして設置するまで、２回目以降の形成工程及びトラベリング工程を複数回繰り返す。
【００３４】
ここで、梁材セットＳの梁材３０の数については任意であるが、実施の形態では、２回目以降のトラベリング工程に対応する梁材セットＳの梁材３０の数を、１回目のトラベリング工程に対応する梁材セットＳの梁材３０の数と同一又はそれよりも少なく設定している。例えば、図４、図５に示すように、１回目のトラベリング工程に対応する梁材セットＳの梁材３０の数＝５である場合に、２回目のトラベリング工程に対応する梁材セットＳの梁材３０の数＝２に設定してもよい。これにより、１回目のトラベリング工程では、梁材セットＳのトラベリング時又は梁材セットＳの設置時において当該梁材セットＳの各梁材３０の水平変位を確実に抑制できる。また、２回目以降のトラベリング工程では、トラベリング工程時（具体的には、梁材セットＳのトラベリング時又は設置時）に生じる梁材セットＳの各梁材３０の水平変位を抑制しながら、トラベリング工程を迅速に行うことができ、屋根架構２０を正確且つ迅速に構築することが可能となる。
【００３５】
（屋根架構の構築方法−撤去工程）
続いて、撤去工程について説明する。撤去工程は、形成工程及びトラベリング工程の後に、トラベリング構台６１、地組構台、及び作業用足場を撤去する工程である。具体的には、クレーン７０等を用いてトラベリング構台６１、地組構台、及び作業用足場を解体することにより、撤去する。
【００３６】
以上のような構築方法により、単体の梁材３０をトラベリングして設置する場合に比べて、トラベリング工程時に生じる梁材セットＳの各梁材３０の水平変位を抑制でき、屋根架構２０を正確に構築することが可能となる。
【００３７】
（実施の形態の効果）
このように実施の形態によれば、屋根架構２０を構成する梁材３０を複数組み合わせた梁材セットＳであり、且つ所定量以上の剛性を有する梁材セットＳを形成する形成工程と、形成工程の後に、梁材セットＳの端部のみを支持した状態で当該梁材セットＳを所定位置までトラベリングして設置するトラベリング工程と、を含むので、単体の梁材３０をトラベリングして設置する場合に比べて、トラベリング工程時（具体的には、梁材セットＳのトラベリング時又は設置時）に生じる梁材セットＳの各梁材３０の水平変位を抑制でき、屋根架構２０を正確に構築することが可能となる。
【００３８】
また、梁材３０が、一対の上弦材の相互間又は一対の下弦材の相互間において水平に設けられたブレース材であって、一対の上弦材同士又は一対の下弦材同士を接続するブレース材を備えるので、ブレース材を設けない場合に比べて梁材３０の水平変位を抑制でき、梁材３０を正確に設置することが可能となる。
【００３９】
また、複数の梁材セットＳに対してトラベリング工程をそれぞれ行う場合に、２回目以降のトラベリング工程に対応する梁材セットＳの梁材３０の数を、１回目のトラベリング工程に対応する梁材セットＳの梁材３０の数と同一又はそれよりも少なくするので、２回目以降のトラベリング工程では、トラベリング工程時に生じる梁材セットＳの各梁材３０の水平変位を抑制しながら、トラベリング工程を迅速に行うことができ、屋根架構２０を正確且つ迅速に構築することが可能となる。
【００４０】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００４１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００４２】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００４３】
（梁材について）
上記実施の形態では、梁材３０が、トラス梁であると説明したが、これに限らず、例えば、ハニカム梁、ラチス梁、又はボックス梁であってもよい。
【００４４】
また、上記実施の形態では、梁材３０が、上側接続弦材３３ａ及び下側接続弦材３４ａ、（すなわち、一対の上弦材同士及び一対の下弦材同士を接続するブレース材を備えている）を備えていると説明したが、これに限らず、例えば、上側接続弦材３３ａ又は下側接続弦材３４ａの少なくともいずれか一方を省略してもよい（ただし、上側接続弦材３３ａ及び下側接続弦材３４ａの両方を省略する場合には、最左方側及び第右方側に位置する上側接続弦材３３ａ又は下側接続弦材３４ａは除く）。
【００４５】
（屋根架構の構築方法について）
上記実施の形態では、屋根架構２０の構築方法が、準備工程及び撤去工程を含むと説明したが、これに限らない。例えば、既設の建物１の構成部材や設備等をトラベリング構台６１、地組構台、及び作業用足場として利用できる場合には、準備工程及び撤去工程を省略してもよい。
【００４６】
また、上記実施の形態では、トラベリング工程において、２回目以降のトラベリング工程に対応する梁材セットＳの梁材３０の数を、１回目のトラベリング工程に対応する梁材セットＳの梁材３０の数と同一又はそれよりも少なく設定していると説明したが、これに限らず、例えば、１回目のトラベリング工程に対応する梁材セットＳの梁材３０の数よりも多く設定してもよい。
【００４７】
（付記）
付記１の屋根架構の構築方法は、建物の屋根架構を構築するための構築方法であって、前記屋根架構を構成する梁材を複数組み合わせたセットであり、且つ所定量以上の剛性を有するセットを形成する形成工程と、前記形成工程の後に、前記セットの端部のみを支持した状態で当該セットを所定位置までトラベリングして設置するトラベリング工程と、を含む。
【００４８】
付記２の屋根架構の構築方法は、付記１に記載の屋根架構の構築方法において、前記梁材は、一対の上弦材及び一対の下弦材を有するトラス梁であって、前記一対の上弦材の相互間又は前記一対の下弦材の相互間において水平に設けられたブレース材であって、前記一対の上弦材同士又は前記一対の下弦材同士を接続するブレース材を備える。
【００４９】
付記３の屋根架構の構築方法は、付記１又は２に記載の屋根架構の構築方法において、複数の前記セットに対して前記トラベリング工程をそれぞれ行う場合に、２回目以降の前記トラベリング工程に対応する前記セットの前記梁材の数を、１回目の前記トラベリング工程に対応する前記セットの前記梁材の数と同一又はそれよりも少なくする。
【００５０】
（付記の効果）
付記１に記載の屋根架構の構築方法によれば、屋根架構を構成する梁材を複数組み合わせたセットであり、且つ所定量以上の剛性を有するセットを形成する形成工程と、形成工程の後に、セットの端部のみを支持した状態で当該セットを所定位置までトラベリングして設置するトラベリング工程と、を含むので、単体の梁材をトラベリングして設置する場合に比べて、トラベリング工程時（具体的には、セットのトラベリング時又は設置時）に生じるセットの各梁材の水平変位を抑制でき、屋根架構を正確に構築することが可能となる。
【００５１】
付記２に記載の屋根架構の構築方法によれば、梁材が、一対の上弦材の相互間又は一対の下弦材の相互間において水平に設けられたブレース材であって、一対の上弦材同士又は一対の下弦材同士を接続するブレース材を備えるので、ブレース材を設けない場合に比べて梁材の水平変位を抑制でき、梁材を正確に設置することが可能となる。
【００５２】
付記３に記載の屋根架構の構築方法によれば、複数のセットに対してトラベリング工程をそれぞれ行う場合に、２回目以降のトラベリング工程に対応するセットの梁材の数を、１回目のトラベリング工程に対応するセットの梁材の数と同一又はそれよりも少なくするので、２回目以降のトラベリング工程では、トラベリング工程時に生じるセットの各梁材の水平変位を抑制しながら、トラベリング工程を迅速に行うことができ、屋根架構を正確且つ迅速に構築することが可能となる。
【符号の説明】
【００５３】
１  建物
１０  屋根部
２０  屋根架構
３０  梁材
３１  前側トラス部
３１ａ  前側上弦材
３１ｂ  前側下弦材
３１ｃ  前側束材
３１ｄ  前側斜材
３２  後側トラス部
３２ａ  後側上弦材
３２ｂ  後側下弦材
３２ｃ  後側束材
３２ｄ  後側斜材
３３  上側トラス部
３３ａ  上側接続弦材
３４  下側トラス部
３４ａ  下側接続弦材
３５  左側トラス部
３５ａ  左側斜材
３６  右側トラス部
３６ａ  右側斜材
４０  屋根パネル
５０  支持部
５１  前側柱部
５４  右側柱部
５５  補助梁部
５７  右側レール部
６１  トラベリング構台
７０  クレーン
Ｃ  設置面
Ｓ  梁材セット
【図１】
2020084530.tif 000003
【図２】
2020084530.tif 000004
【図３】
2020084530.tif 000005
【図４】
2020084530.tif 000006
【図５】
2020084530.tif 000007
【図６】
2020084530.tif 000008